【手続補正書】
【提出日】平成24年5月8日(2012.5.8)
【手続補正１】
【補正対象書類名】特許請求の範囲
【補正対象項目名】全文
【補正方法】変更
【補正の内容】
【特許請求の範囲】
【請求項１】
患者の歯列の少なくとも一部に対して電子機器および／または変換器のアセンブリを保持するための口腔内装置を加工する方法であって、
対応する三次元画像が作製されるように、少なくとも該歯列の一部をスキャンすることと、
筐体が該歯列の舌側面および並置された頬側面上での着脱可能な配置のための歯の係合チャネルを有するように成形されるように該画像を処理することであって、該変換器用にサイズ調整された筐体は、該歯列の一部の該頬側面に沿って配置される、ことと、
該画像から該筐体の一部を有する該口腔内装置を成形することであって、該口腔内装置は、該歯列の一部に適合可能であり、該変換器は、該筐体を介して、該頬側面に固定可能である、ことと
を含む、方法。
【請求項２】
処理することは、前記電子機器および／または変換器のアセンブリ用にサイズ調整された筐体を、コンピュータを介してデジタル的に追加することを含む、請求項１に記載の方法。
【請求項３】
患者の歯列の少なくとも一部に対して電子機器および／または変換器のアセンブリを保持するための口腔内装置を加工する方法であって、
該歯列の一部の舌側面および並置された頬側面に沿って筐体を接着することと、
対応する三次元画像が作製されるように、該筐体を有する少なくとも該歯列の一部をスキャンすることと、
該筐体が該歯列の該舌側面および頬側面上での着脱可能な配置のための歯の係合チャネルを有するように成形されるように該画像を処理することであって、該変換器は、該歯列の一部の該頬側面に沿って配置される、ことと、
該画像から該筐体の一部を有する該口腔内装置を成形することであって、該口腔内装置は、該歯列の一部に適合可能であり、該変換器は、該筐体を介して、該頬側面に固定可能である、ことと
を含む、方法。
【請求項４】
接着することは、前記歯列の一部の頬側面に沿って前記筐体を一時的に接着することを含む、請求項３に記載の方法。
【請求項５】
成形することは、内側鋳型部分と外側鋳型部分との間に成形された空洞内にポリマーを注入することを含み、該空洞が前記口腔内装置の構成を画定する、請求項１〜４のいずれかに記載の方法。
【請求項６】
患者の歯列の少なくとも一部に対して電子機器および／または変換器のアセンブリを保持するための口腔内装置を加工する方法であって、
少なくとも該歯列の一部の型穴を得ることと、
対応する三次元画像が作製されるように、該型穴をスキャンすることと、
筐体が該歯列の舌側面および並置された頬側面上での着脱可能な配置のための歯の係合チャネルを有するように成形されるように該画像を処理することであって、該筐体は、該歯列の一部の該頬側面に沿った該変換器の配置のためにサイズ調整される、ことと、
該画像から該筐体の一部を有する該口腔内装置を成形することであって、該口腔内装置は、該歯列の一部に適合可能であり、該変換器は、該筐体を介して該頬側面に固定可能である、ことと
を含む、方法。
【請求項７】
型穴を得ることは、前記歯列の一部上に鋳型を印刻することを含む、請求項６に記載の方法。
【請求項８】
スキャンすることは、レーザ、白色光、超音波、機械式三次元タッチスキャナ、磁気共鳴映像法、およびコンピュータ断層撮影から成る群から選択される撮像診断様式を介してスキャンすることを含むか、または、
スキャンすることは、口腔内デジタルカメラを介してスキャンすることを含むか、または、
スキャンすることは、対応する三次元デジタル画像を生成することを含む、請求項１〜７のいずれかに記載の方法。
【請求項９】
処理することは、前記電子機器および／または変換器のアセンブリ用にサイズ調整された筐体を、コンピュータを介してデジタル的に追加することを含む、請求項６または７に記載の方法。
【請求項１０】
成形することは、機械加工、コンピュータ数値制御機械加工、立体造形装置、および選択的レーザ焼結から成る群から選択される工程を介して、前記画像に対応する前記口腔内装置を作製することを含む、請求項１、３または６に記載の方法。
【請求項１１】
作製することは、前記口腔内装置に対応する押し込み金型を成形することを含む、請求項１０に記載の方法。
【請求項１２】
前記押し込み金型上に前記口腔内装置を熱成形することをさらに含む、請求項１１に記載の方法。
【請求項１３】
患者の歯列の少なくとも一部に対して電子機器および／または変換器のアセンブリを保持するための口腔内装置を加工する方法であって、
少なくとも該患者の該歯列の一部を覆うためにサイズ調整されたデンタルトレイを提供することであって、該デンタルトレイは、該電子機器および／または変換器のアセンブリ用の筐体を画定する、ことと、
該デンタルトレイに沿って画定されるチャネルを固化性ポリマーで充填することと、
該ポリマーが硬化し、該歯列の舌側面および並置された頬側面上での着脱可能な配置のための歯の係合チャネルを有する該筐体を成形するまで、該ポリマーが該歯列の形状と適合するように、該チャネル内に該患者の歯列の少なくとも一部を配置することであって、該変換器は、該歯列の該頬側面に沿って配置される、ことと、
該硬化したポリマーから該デンタルトレイを除去することであって、該変換器は、該筐体を介して該頬側面に固定可能である、ことと
を含む、方法。
【請求項１４】
前記硬化したポリマーをトリミングすることをさらに含む、請求項１３に記載の方法。
【請求項１５】
提供することは、前記筐体内に含まれる前記電子機器および／または変換器のアセンブリを有する前記デンタルトレイを提供することを含む、請求項１３または１４に記載の方法。
【請求項１６】
充填することは、前記電子機器および／または変換器のアセンブリが前記筐体内に前記ポリマーにより少なくとも部分的に封入されるように、ディスペンサーを介して前記チャネルを充填することを含む、請求項１５に記載の方法。
【請求項１７】
配置することは、前記ポリマーが硬化するように、該ポリマーを活性化させることをさらに含む、請求項１３〜１６のいずれかに記載の方法。
【請求項１８】
前記筐体内で前記硬化したポリマーに前記電子機器および／または変換器のアセンブリを取り付けることをさらに含む、請求項１３に記載の方法。
【請求項１９】
急速プロトタイピングシステムを用いて、足場を成形することをさらに含む、請求項１３〜１８のいずれかに記載の方法。
【請求項２０】
前記急速プロトタイピングシステムは、熱溶解積層モデリングシステム、選択的レーザ焼結システム、三次元印刷システム、インクジェット印刷システムのうちの１つを備える、請求項１９に記載の方法。
【請求項２１】
前記足場を強化するために、樹脂によって該足場をコーティングすることを含む、請求項１９または２０に記載の方法。
【手続補正２】
【補正対象書類名】明細書
【補正対象項目名】００２１
【補正方法】変更
【補正の内容】
【００２１】
口腔内装置は、補聴装置を含む、多種多様な装置に使用することができる。この装置は、耳鳴りの治療、どもりの治療等の医療および通信用途のための一般的な音響伝達にも使用することができる。この装置は、特に、一方向通信または双方向通信を提供するために、携帯電話およびＢｌｕｅｔｏｏｔｈを介して、通信することができる。該装置は、一部の軍事または医療用の身分証明書の目的で、個人的に特定できる医療情報を保存するためにも使用することができる。
例えば、本発明は以下の項目を提供する。
（項目１）
患者の少なくとも歯列の一部に対して電子機器および／または変換器アセンブリを保持するための口腔内装置を加工する方法であって、
対応する三次元画像が作製されるように、少なくとも該歯列の一部をスキャンすることと、
筐体が該歯列の一部の側面に沿って配置されるように、該画像を処理することと、
該画像から該筐体の一部を有する該口腔内装置を成形することであって、該口腔内装置は、それによって、該歯列の一部に適合する、ことと
を備える、方法。
（項目２）
スキャンすることは、レーザ、白色光、超音波、機械式三次元タッチスキャナ、磁気共鳴映像法、およびコンピュータ断層撮影から成る群から選択される、撮像診断装置を介してスキャンすることを備える、項目１に記載の方法。
（項目３）
スキャンすることは、口腔内デジタルカメラを介してスキャンすることを備える、項目１に記載の方法。
（項目４）
スキャンすることは、対応する三次元デジタル画像を生成することを備える、項目１に記載の方法。
（項目５）
処理することは、上記電子機器および／または変換器アセンブリ用にサイズ調整された筐体を、コンピュータを介してデジタル的に追加することを備える、項目１に記載の方法。
（項目６）
成形することは、機械加工、コンピュータ数値制御機械加工、立体造形装置、および選択的レーザ焼結から成る群から選択される工程を介して、上記画像に対応する上記口腔内装置を作製することを備える、項目１に記載の方法。
（項目７）
作製することは、上記筐体の部分を有する上記口腔内装置に対応する押し込み金型を成形することを備える、項目６に記載の方法。
（項目８）
上記押し込み金型上に上記口腔内装置を熱成形することをさらに備える、項目７に記載の方法。
（項目９）
成形することは、内側鋳型部分と外側鋳型部分との間に成形された空洞にポリマーを注入することであって、該空洞は、それによって、上記口腔内装置の構成を画定する、ことを備える、項目１に記載の方法。
（項目１０）
患者の少なくとも歯列の一部に対して電子機器および／または変換器アセンブリを保持するための口腔内装置を加工する方法であって、
該歯列の一部の側面に沿って筐体を接着することと、
対応する三次元画像が作製されるように、該筐体を有する該少なくとも歯列の一部をスキャンすることと、
該画像から該筐体の一部を有する口腔内装置を成形することであって、該口腔内装置は、それによって、該歯列の一部に適合する、ことと
を備える、方法。
（項目１１）
接着することは、上記歯列の一部の頬側面に沿って上記筐体を一時的に接着することを備える、項目１０に記載の方法。
（項目１２）
スキャンすることは、レーザ、白色光、超音波、機械式三次元タッチスキャナ、磁気共鳴映像法、およびコンピュータ断層撮影から成る群から選択される、撮像診断装置を介してスキャンすることを備える、項目１０に記載の方法。
（項目１３）
スキャンすることは、口腔内デジタルカメラを介してスキャンすることを備える、項目１０に記載の方法。
（項目１４）
スキャンすることは、対応する三次元デジタル画像を生成することを備える、項目１０に記載の方法。
（項目１５）
成形することは、機械加工、コンピュータ数値制御機械加工、立体造形装置、および選択的レーザ焼結から成る群から選択される工程を介して、上記画像に対応する上記口腔内装置を作製することを備える、項目１０に記載の方法。
（項目１６）
作製することは、上記口腔内装置に対応する押し込み金型を成形することを備える、項目１５に記載の方法。
（項目１７）
上記押し込み金型上に上記口腔内装置を熱成形することをさらに備える、項目１６に記載の方法。
（項目１８）
成形することは、内側鋳型部分と外側鋳型部分との間に成形された空洞にポリマーを注入することであって、該空洞は、それによって、上記口腔内装置の構成を画定する、ことを備える、項目１０に記載の方法。
（項目１９）
患者の少なくとも歯列の一部に対して電子機器および／または変換器アセンブリを保持するための口腔内装置を加工する方法であって、
該少なくとも歯列の一部の型穴を得ることと、
対応する三次元画像が作製されるように、該型穴をスキャンすることと、
筐体が該歯列の一部の側面に沿って配置されるように、該画像を処理することと、
該画像から該筐体の一部を有する口腔内装置を成形することであって、該口腔内装置は、それによって、該歯列の一部に適合する、ことと
を備える、方法。
（項目２０）
型穴を得ることは、該歯列の一部に鋳型を印刻することを備える、項目１９に記載の方法。
（項目２１）
スキャンすることは、レーザ、白色光、超音波、機械式三次元タッチスキャナ、磁気共鳴映像法、およびコンピュータ断層撮影から成る群から選択される、撮像診断装置を介してスキャンすることを備える、項目１９に記載の方法。
（項目２２）
スキャンすることは、口腔内デジタルカメラを介してスキャンすることを備える、項目１９に記載の方法。
（項目２３）
スキャンすることは、対応する三次元デジタル画像を生成することを備える、項目１９に記載の方法。
（項目２４）
処理することは、上記電子機器および／または変換器アセンブリ用にサイズ調整された筐体を、コンピュータを介してデジタル的に追加することを備える、項目１９に記載の方法。
（項目２５）
成形することは、機械加工、コンピュータ数値制御機械加工、立体造形装置、および選択的レーザ焼結から成る群から選択される工程を介して、上記画像に対応する上記口腔内装置を作製することを備える、項目１９に記載の方法。
（項目２６）
作製することは、上記筐体の一部を有する上記口腔内装置に対応する押し込み金型を成形することを備える、項目２５に記載の方法。
（項目２７）
上記押し込み金型上に上記口腔内装置を熱成形することをさらに備える、項目２６に記載の方法。
（項目２８）
患者の少なくとも歯列の一部に対して電子機器および／または変換器アセンブリを保持するための口腔内装置を加工する方法であって、
該患者の少なくとも該歯列の一部を覆うためにサイズ調節されたデンタルトレイを提供することであって、該デンタルトレイは、該電子機器および／または変換器アセンブリ用の筐体を画定する、ことと、
該デンタルトレイに沿って画定されるチャネルを固化性ポリマーで充填することと、
該ポリマーが硬化するまで、該歯列の形状と適合するように、該チャネル内に該患者の少なくとも歯列の一部を配置することと、
該固化したポリマーから該デンタルトレイを除去することと
を備える、方法。
（項目２９）
上記固化したポリマーをトリミングすることをさらに備える、項目２８に記載の方法。
（項目３０）
提供することは、上記筐体内に含まれる上記電子機器および／または変換器アセンブリを有する上記デンタルトレイを提供することを含む、項目２８に記載の方法。
（項目３１）
充填することは、上記電子機器および／または変換器アセンブリが上記筐体内に上記ポリマーにより少なくとも部分的に封入されるように、施与者を介して、上記チャネルに充填することを備える、項目３０に記載の方法。
（項目３２）
配置することは、上記ポリマーが硬化するように、該ポリマーを活性化させることをさらに備える、項目２８に記載の方法。
（項目３３）
上記筐体内で上記硬化したポリマーに上記電子機器および／または変換器アセンブリを取り付けることをさらに備える、項目２８に記載の方法。
（項目３４）
急速プロトタイピングシステムを用いて、足場を成形することをさらに備える、項目２８に記載の方法。
（項目３５）
上記急速プロトタイピングシステムは、熱溶解積層システム、選択的レーザ焼結システム、三次元印刷システム、インクジェット印刷システムのうちの１つを備える、項目３４に記載の方法。
（項目３６）
上記足場を強化するために、樹脂によって該足場をコーティングすることを備える、項目３４に記載の方法。
（項目３７）
直接成形型マウスガードの作製用のブランクであって、
該ブランクが咬合圧を受けるときに、所定の温度範囲においてユーザの口腔内構造の輪郭に適合する材料と、
患者の少なくとも歯列の一部に結合するための該材料上に搭載される変換器アセンブリとを備える、ブランク。
（項目３８）
上記ブランクは、該ブランクが咬合圧を受けるときに、所定の温度範囲においてユーザの口腔内構造の輪郭に適合する固化熱可塑性材料の内層と、
該内層に隣接し、同一の広がりで配置され、該所定の温度範囲よりも高い軟化温度を有する、剛性の力伝達熱可塑性材料から成るコア層であって、該コア層は、該ブランクの全体の嵌合を調節するために、該軟化温度においてユーザの上側または下側歯列の一般的形状に適合する、コア層と、
該コア層に隣接し、同一の広がりで配置される、固化性で衝撃吸収性の熱可塑性材料から成る外層であって、該ブランクが咬合圧を受けるときに、所定の温度範囲においてユーザの口腔内構造の輪郭に適合する、外層と
を備える、項目３７に記載の方法。
（項目３９）
上記変換器は、上記ブランクが咬合圧を受ける前、または後において、上記材料に挿入される、項目３７に記載の方法。